(57)【要約】【課題】  USBバス給電により動作するイメージスキャナにおいて、スキャン中に液晶モニタのバックライトを点灯するとUSBの規格電流値を超過してしまうという問題があり、スキャン中はバックライトを消灯しなければならなかった。【解決手段】  モータの駆動信号に同期してバックライトを間欠点灯する。モータの消費電流が多い期間にバックライトを消灯し、消費電流が少ない期間に点灯することによりイメージスキャナの総消費電流の最大値を抑えてUSBの定格電流の超過を防止する。【選択図】  図１
2007074535.tif 000002
【特許請求の範囲】
【請求項１】
モータと液晶モニタを有する電子機器において、
前記モータの全相が励磁されている期間に前記液晶モニタのバックライトを消灯する機能を備えた事を特徴とする電子機器。
【請求項２】
原稿を照射する光源、原稿からの反射光を集光するレンズ、一次元の画像データを読取る光電変換素子から構成されるコンタクトイメージセンサと、
前記コンタクトイメージセンサをモータの駆動により搬送する搬送手段と、
装置の動作状態等を表示する液晶モニタを有し、
USBのバス給電により動作するイメージスキャナにおいて、
前記モータの全相が励磁されている期間に前記液晶モニタのバックライトを消灯する機能を備えた事を特徴とするイメージスキャナ。
【請求項３】
前記モータの駆動にモータドライバICを用い、前記モータドライバICへ入力される電流制御信号に同期して前記液晶モニタのバックライトを消灯する請求項２に記載のイメージスキャナ。
【請求項４】
前記搬送手段により原稿を搬送する請求項2ないし請求項３に記載のイメージスキャナ。
【発明の詳細な説明】
【技術分野】
【０００１】
本発明はUSBのバス給電により、消費可能な電力が制限されているイメージスキャナ等の電子機器の省電力化に係るものであり、特に液晶バックライトの消費電力制御に関する。
【背景技術】
【０００２】
従来の液晶バックライトの消費電力制御方法としては、例えば特開2001-77914号公報のように携帯電話の液晶バックライトを一定の周期で間欠点灯して消費電力を抑えて電池の高寿命化を図るものがある。
【０００３】
また、ある信号に同期して照明を間欠点灯するものとして、特開2005-102088号公報のようにドアホンにおいて映像信号の偶数フィールドと奇数フィールドの何れかに同期して照明ランプを間欠点灯するものがある。
【特許文献１】特開2001-77914号公報
【特許文献２】特開2005-102088号公報
【発明の開示】
【発明が解決しようとする課題】
【０００４】
USBの電源線から供給される電流値は、規格により上限値(500mA)が定められている。液晶モニタを備えるイメージスキャナの場合、特に電流を多く消費する部位はモータと原稿を照射する光源と液晶モニタのバックライトである。
【０００５】
スキャン中はこれらの部位全てが動作しているため、USBのバス給電によりイメージスキャナを動作させる場合、USBの消費電流の規格値を超過してしまうという問題があった。
【０００６】
液晶モニタは動作モードの設定等、主にスキャン動作前に使用され、スキャン中の使用頻度は低い。そのため、スキャン中にバックライトを消灯する方法で消費電流の規格値超過は回避できる。しかし、使用頻度が低いとはいえ、スキャン中における液晶モニタの表示内容の識別が困難になるという問題があった。
【０００７】
また、バックライトを間欠点灯する手段があるが、モータの駆動状態を考慮する必要がある。例えば２相のパルスモータを1-2相駆動方式で駆動する場合を考える。1-2相駆動方式とは１相励磁と２相励磁を繰り返す駆動方式であり、常に2相を励磁する2-2相駆動方式と比較すると出力トルクは低いが、振動が小さくなるなどの特徴を持つ。2相励磁時は１相励磁時と比較して消費電流が大きくなる。そのため、2相励磁時にバックライトが点灯するとUSBの消費電流の上限値を超えてしまうという問題があった。そこで、間欠点灯を行う場合は2相励磁時に消灯、１相励磁時に点灯する必要がある。
【課題を解決するための手段】
【０００８】
本発明において、
原稿を照射する光源、原稿からの反射光を集光するレンズ、一次元の画像データを読取る光電変換素子から構成されるコンタクトイメージセンサと、
前記コンタクトイメージセンサをモータの駆動により搬送する搬送手段と、
装置の動作状態等を表示する液晶モニタを有し、
USBのバス給電により動作するイメージスキャナにおいて、
前記モータの全相が励磁されている期間に前記液晶モニタのバックライトを消灯する機能を備えた事によりこれらの問題が解決できる。
【発明の効果】
【０００９】
本発明によれば、スキャン中の消費電流が高い期間にバックライトを消灯することにより、消費電流の最大値を抑えることが出来る。
【００１０】
通常、スキャン時におけるパルスモータの１相励磁と２相励磁が切り替わる周期は50Hz以上であるため、人間の目の残像効果により、間欠点灯による点滅は認識できずに常時点灯しているように見える。
【００１１】
従ってUSBのバス給電により動作するイメージスキャナにおいて、USBの消費電流の規格値を超えずにスキャン中でもバックライトを点灯することが可能となり、液晶モニタの表示内容を容易に確認することが出来る。
【発明を実施するための最良の形態】
【００１２】
本発明による実施形態の例を説明する。図１は本発明を実施するための回路の概略図である。同図において１は２相バイポーラ式パルスモータ（以下モータと呼ぶ）、２はモータ１に駆動電流を供給するモータドライバIC、３はモータドライバIC２へ駆動信号を供給するコントローラICである。９は液晶バックライトのLED、１０はLED９の駆動電流を設定する抵抗、８はスイッチとして用いられるトランジスタであり、ベース電位がハイの場合にオン状態となり、LED９が点灯する。４，５，６及び７はロジックICであり、４と５はインバータ、６はORゲート、７はANDゲートである。
【００１３】
モータドライバIC２に入力される信号PHAとPHBはモータ１の各相の励磁パターン信号であり、電圧値がハイかローかにより励磁方向を決定する。ENAとENBは各相の励磁のイネーブル信号であり、電圧値がローの場合はモータ1への電流の供給を止めて励磁しない状態となる。モータドライバIC２から出力される信号1Aと2Aはモータ1の一方の相に、1Bと2Bはもう一方の相に駆動電流を供給する。コントローラIC３から出力される信号PWは電圧値がハイの場合にLED９を点灯、ローで消灯させる制御信号である。
【００１４】
モータ１を1-2相励磁方式で駆動する場合を例に図1の回路動作を説明する。図2は1-2相励磁方式の1周期分のタイミング図である。同図に記載の信号名は図1に記載の信号名と対応する。モータドライバIC２の入力信号PHAとPHBの電圧値がハイの場合は出力信号1Aと1Bからプラス方向に電流が流れ、PHAとPHBがローの場合は出力信号1Aと1Bからマイナス方向に電流が流れる。入力信号ENAとENBの電圧値がローの場合は出力信号1Aと1Bからは電流が供給されない。従ってモータに供給される電流1Aと1Bは図2に示すような波形となり、1相励磁と2相励磁が繰り返されていることが分かる。ANDゲート７の出力信号Zは、図1の信号PWの電圧値がハイの場合は、図2に示すようなパルスとなる。信号Zの電圧値がハイの時、すなわち1相励磁時にトランジスタ８がONとなり、LED9が点灯する。ローの場合、すなわち2相励磁時はOFFとなりLED9は消灯する。
【００１５】
ここで、イメージスキャナにおけるスキャン中のモータの回転速度を考慮すると、信号Zのパルスの周期は50Hz以上である。
【００１６】
従ってLED９は点滅するが、人間の視覚特性により点滅を認識できず点灯しているように見える。
【００１７】
また、モータ停止時は図2に示すように信号ENAとENBの電圧値がローとなり、信号ZがハイとするためLED９は点灯状態となる。信号PWの電圧値がローの場合はモータ１の状態の如何によらず信号ZはローとなるためLED9は消灯状態となる。
【００１８】
図3はイメージスキャナの総消費電流の波形を示したものである。モータは1-2相励磁方式で動作中とする。ここでは判り易くするために矩形波としたが、実際はもっと歪んだ波形である。図3（A）はバックライト消灯時の波形であり、電流値が低い時が1相励磁時、高い時が2相励磁時である。図3（B）はバックライト点灯時の波形であり、図3（A）に対してバックライトの消費電流分だけバイアスされた波形となる。波形の上部はUSBの電流値の規格値を超えてしまっている。図3（C）は本発明により1相励磁時にバックライトを点灯し、2相励磁時は消灯した場合の波形である。波形の下部は図3（B）と、上部は図3（A）と同等のレベルとなる。従ってUSBの規格値を超えないことになる。
【００１９】
以上のことから、本発明によれば2相励磁時にバックライトを消灯することにより、消費電流の最大値を抑えることにより、USBの電流値の規格値を超えずにモータ駆動時においてもバックライトを点灯することが可能となる。
【００２０】
ここで、モータドライバICは多品種に渡り、ここで説明した制御方式とは異なるものがあるが、電流値を制御する信号を図1のENAとENBに対応させることにより他の制御方式のモータドライバICも本発明に適用できる。また、図1における４，５，６及び７で構成されるロジック回路はこの構成に限ったものでなく、他の構成でも可能である。
【図面の簡単な説明】
【００２１】
【図１】本発明を実施するための回路の概略図
【図２】図1における回路のタイミング図
【図３】イメージスキャナの総消費電流の波形
【符号の説明】
【００２２】
１  モータ
２  モータドライバIC
３  コントローラIC
４、５、６、７  ロジックIC
８  トランジスタ
９  液晶バックライトのLED
【図１】
2007074535.tif 000003
【図２】
2007074535.tif 000004
【図３】
2007074535.tif 000005